(57)【要約】【課題】  柄の継手構造において、第１の柄と第２の柄を強固に連結すること。【解決手段】  第１の柄１１と第２の柄１３を互いに揺動自在に枢支して連結する柄の継手構造であって、第１の柄１１に、２個の薄肉外側部材７１と、薄肉両外側部材７１に挟まれる厚肉中部材７２を互いに３又状をなすように設け、２個の厚肉連結部材８１を互いに２又状をなすように設け、両連結部材８１の間に中空間８２を形成し、第１の柄１１の中部材７２を第２の柄１３の中空間８２に差し込むことにより、第１の柄１１の両薄肉外側部材７１の揺動中心位置に設けた枢支孔７１Ａを該両外側部材７１の外方への弾性変形下で第２の柄１３の両連結部材８１の外面に設けた枢軸８１Ａに係合して両者を連結するもの。【選択図】  図１２
2011152446.tif 000002
【特許請求の範囲】
【請求項１】
第１の柄と第２の柄を互いに揺動自在に枢支して連結する柄の継手構造であって、
第１の柄に、２個の薄肉外側部材と、薄肉両外側部材に挟まれる厚肉中部材を互いに３又状をなすように設け、
２個の厚肉連結部材を互いに２又状をなすように設け、両連結部材の間に中空間を形成し、
第１の柄の中部材を第２の柄の中空間に差し込むことにより、第１の柄の両薄肉外側部材の揺動中心位置に設けた枢支孔を該両外側部材の外方への弾性変形下で第２の柄の両連結部材の外面に設けた枢軸に係合して両者を連結する柄の継手構造。
【請求項２】
前記第２の柄の連結部材は、外方に臨む前記枢軸と内方の中空間に臨む小突起部を備え、第１の柄の前記中部材に設けた枢支孔が第２の柄の前記小突起部に軽く凹凸係入している請求項１に記載の継手構造。
【請求項３】
前記第１の柄と第２の柄の差し込み部まわりにクリックストップ機構部を設けた請求項１又は２に記載の柄の継手構造。
【請求項４】
請求項１〜３のいずれかに記載の柄の継手構造を用いた清掃具。
【請求項５】
前記第１の柄と第２の柄を揺動自在に枢支して連結した揺動中心軸を清掃方向に沿う鉛直面内に配置する請求項４に記載の清掃具。
【発明の詳細な説明】
【技術分野】
【０００１】
本発明は清掃具等に用いて好適な柄の継手構造に関する。
【背景技術】
【０００２】
清掃具の柄の継手構造として、特許文献１に記載の如く、第１の柄（柄１）に２個の外側部材を２又状に設け、この２又状の外側部材の間の空間に、第２の柄（本体部９）を差し込み、第１の柄の両外側部材に設けた枢支孔を第２の柄に設けた突起に弾発的に凹凸係合して両者を揺動自在に連結するものがある。
【先行技術文献】
【特許文献】
【０００３】
【特許文献１】特開平8-228985
【発明の概要】
【発明が解決しようとする課題】
【０００４】
特許文献１の清掃具では、第１の柄の両外側部材の枢支孔に第２の柄の突起を弾発的に凹凸係合するため、第１の柄の両外側部材の肩部（２又の付根部）を肉薄にして変形できるようにする必要がある。
【０００５】
このため、使用状態で、第１の柄から第２の柄に操作力が加わるとき、２又をなす両外側部材がこじられて開き易く、両者の差し込み部にガタを生じ、ひいては外れるおそれがある。
【０００６】
本発明の課題は、柄の継手構造において、第１の柄と第２の柄を強固に連結することにある。
【課題を解決するための手段】
【０００７】
請求項１の発明は、第１の柄と第２の柄を互いに揺動自在に枢支して連結する柄の継手構造であって、第１の柄に、２個の薄肉外側部材と、薄肉両外側部材に挟まれる厚肉中部材を互いに３又状をなすように設け、２個の厚肉連結部材を互いに２又状をなすように設け、両連結部材の間に中空間を形成し、第１の柄の中部材を第２の柄の中空間に差し込むことにより、第１の柄の両薄肉外側部材の揺動中心位置に設けた枢支孔を該両外側部材の外方への弾性変形下で第２の柄の両連結部材の外面に設けた枢軸に係合して両者を連結するようにしたものである。
【発明の効果】
【０００８】
本発明によれば、柄の継手構造において、第１の柄と第２の柄を強固に連結することができる。
【図面の簡単な説明】
【０００９】
【図１】図１は清掃具を示す全体図である。
【図２】図２は清掃具を示す斜視図である。
【図３】図３は清掃具を示す断面図である。
【図４】図４は清掃具を示す底面図である。
【図５】図５は清掃具を一部破断して示す斜視図である。
【図６】図６はゴミ受け部とピックアップ部材を示す斜視図である。
【図７】図７はピックアップ部材の上下変位構造を示す模式図である。
【図８】図８は清掃具によるフローリングの前進清掃状態を示す模式図である。
【図９】図９は清掃具によるフローリングの後進清掃状態を示す模式図である。
【図１０】図１０は清掃具によるカーペットの清掃状態を示す模式図である。
【図１１】図１１は柄の継手構造を示す分解斜視図である。
【図１２】図１２は柄の継手構造を示す断面図である。
【図１３】図１３は柄の継手構造の変形例を示す断面図である。
【図１４】図１４は清掃具のアーム枢着構造を示す分解斜視図である。
【図１５】図１５は清掃具のアーム枢着状態を示す断面図である。
【図１６】図１６は図１５のXVI−XVI線に沿う断面図である。
【図１７】図１７は清掃具のアーム枢着構造の変形例１を示す断面図である。
【図１８】図１８は清掃具のアーム枢着構造の変形例２を示す断面図である。
【図１９】図１９は清掃具のアーム枢着構造の変形例３を示す断面図である。
【図２０】図２０は柄の継手構造の変形例を示す断面図である。
【発明を実施するための形態】
【００１０】
清掃具１０は、床面等の清掃面上のゴミ、例えば大粒、小粒の粒ゴミ、又はカーペット等の繊維に絡み付いた髪の毛等のゴミを捕集するものであり、図１〜図１０に示す如く、柄１１の先端部に継手１２を介して支持アーム１３を清掃方向に交差する左右方向に揺動自在に結合し、支持アーム１３の両側アーム部１３Ａに枢着部１４を介してフレーム１５を清掃方向に沿う前後方向に揺動自在に支持している。
【００１１】
フレーム１５の清掃方向に沿う前部には可撓掻き上げ体１６が回動自在に支持され、フレーム１５の清掃方向に沿う後部には接触回転体１８が回動自在に支持され、掻き上げ体１６と接触回転体１８は平行に並べられて配置される。
【００１２】
掻き上げ体１６は、回転軸１６Ａと、回転軸１６Ａの軸方向の全長に渡ってブラシの毛が植設されたブラシロールからなる掻き上げ部１６Ｂと、回転軸１６Ａの両端部に結合された両側の増速タイヤ１７（変速タイヤ）からなる。掻き上げ部１６Ｂは粘着ロール２１に接触しても、接触しなくても良い。掻き上げ部１６Ｂの毛の長さは互いに5mm程（ロール径に30mmに対して）ばらつくように作ってある。両側のタイヤ１７は該タイヤ１７にゴミがかみ込まないようにフレーム１５の両外側に配置されるが、フレーム１５の内側に設けても良い。
【００１３】
接触回転体１８は、粘着ロール２１のための駆動手段であり、回転軸１８Ａと、回転軸１８Ａの軸方向の両端側２位置（軸方向３位置等の複数位置でも可）に固定される円盤状の回転子１８Ｂと、回転軸１８Ａの両端部に結合された両側の増速タイヤ１９（変速タイヤ）からなる。回転子１８Ｂは粘着ロール２１に接触する。両側のタイヤ１９はフレーム１５の両外側に配置される。
【００１４】
掻き上げ体１６の掻き上げ部と接触回転体１８の回転子１８Ｂの上には、それらに跨がる粘着ロール２１が乗せられて載置され、粘着ロール２１は掻き上げ体１６と接触回転体１８の回転に連れ回る。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能であって、１回使用分ずつさなだ巻きをした巻取りロール又は切断可能にした巻取りロールにて構成される。
【００１５】
清掃具１０は、図３に示す如く、フレーム１５における掻き上げ部１６Ｂに対する清掃方向の後部に塵取部３０（ゴミ捕集部）を配置する。塵取部３０は、フレーム１５にネジ３１Ａにて取付けられるゴミ受け部３１を有し（図６）、ゴミ受け部３１の前方下部から下ゴミ止め部３２を立ち上げ、前方上部に上ゴミ止め部３３を設ける。上ゴミ止め部３３は後述する粘着ロールホルダ５０の回転カバー５２の回転により進入する際の外周に沿う円弧状をなし、上ゴミ止め部３３の下縁は掻き上げ部１６Ｂの外周に近接（又は接触）する。下ゴミ止め部３２の上縁と上ゴミ止め部３３の下縁の間をゴミ送り間隔（ゴミ送り込み口）３４とする。掻き上げ部１６Ｂが弾き飛ばすゴミがゴミ送り込み口３４経由でゴミ受け部３１に捕集される。
【００１６】
塵取部３０は、ゴミ受け部３１の後部開口３１Ａに後蓋３５を開閉自在に備える。後蓋３５は、ゴミ受け部３１の後方下部に設けた支軸３５Ａに下端部を揺動自在に支持され、上端部に係止レバー３６を備える。係止レバー３６は、後蓋３５に軸３７を介して枢着され、コイルばね３８のばね力によりゴミ受け部３１の後方上部に設けた係止爪３１Ｂに係止し（図３）、手動操作によって回動されて係止爪３１Ｂとの係止を解除する。塵取部３０へのゴミ捕集時には、後蓋３５によりゴミ受け部３１の後部開口３１Ａを閉じ、ゴミ払い出し時には、係止レバー３６により開き操作される後蓋３５によりゴミ受け部３１の後部開口３１Ａを開き、後部開口３１Ａからゴミ除去する。尚、ゴミ受け部３１と後蓋３５の間で、支軸３５Ａのまわりには、後蓋３５を開き方向に付勢する後蓋開き用コイルばね３９が設けられる。塵取部３０のゴミ受け部３１、後蓋３５等は、ゴミの捕集状態を視認できるような透明又は半透明の材料にて構成されるのが良い。
【００１７】
塵取部３０は、ゴミ受け部３１の下ゴミ止め部３２の前縁側、かつ掻き上げ体１６の掻き上げ部１６Ｂの後部に設けられ、掻き上げ部１６Ｂの全幅に渡って隙間なく又は隙間を介して）相対するピックアップ部材４０を備える。ピックアップ部材４０は、掻き上げ部１６Ｂが床から掻き上げるゴミを塵取部３０へとガイドするすくい面４１と、床にならってすくい面４１を床に対して一定の角度に保持する底面４２とを有する。すくい面４１は左右両側部から立上るガイド壁４３を備える。ガイド壁４３は、掻き上げ部１６Ｂが掻き上げたゴミの横外方へのこぼれ落ち防止を図るとともに、すくい面４１から前方に突出した部分の下角部に大きなアールを設け、この下角部がカーペットの下に潜り込むことを防止する。
【００１８】
塵取部３０は、図５、図６に示す如く、ゴミ受け部３１の下ゴミ止め部３２の前縁の左右２ヶ所に、ゴミ受け部３１の底部に対し鋭角をなして斜交するスライド筒４４を設ける。ピックアップ部材４０は、底面４２の上面の左右２ヶ所に、すくい面４１に平行するスライドロッド４５を設け、すくい面４１の裏面とスライドロッド４５の間につなぎ板４６を設け、スライドロッド４５の上端側環状溝４５Ａには抜け止め用止め輪４７Ａ及びワッシャ４７Ｂが係着できる。
【００１９】
塵取部３０は、図６、図７に示す如く、ピックアップ部材４０のスライドロッド４５をゴミ受け部３１のスライド筒４４に嵌合するとともに、スライドロッド４５に付設されているつなぎ板４６をゴミ受け部３１の底部及びスライド筒４４の前面側に切開されているスライド溝４４Ａに嵌合し、スライド筒４４から突き出たスライドロッド４５の上端側環状溝４５Ａに止め輪４７を係着して抜け止めとする。これにより、塵取部３０は、ピックアップ部材４０のスライドロッド４５をゴミ受け部３１のスライド筒４４に対してスライド自在にし、ピックアップ部材４０をゴミ受け部３１に対し、上下方向に変位自在にする。ピックアップ部材４０の底部は、ゴミ受け部３１の底部より被清掃面寄りに突き出る下降位置と、ゴミ受け部３１の底部と概ね面一をなす上昇位置との間で、上下方向に変位する。ピックアップ部材４０は、下降位置にあっても、上昇位置にあっても、平面状（又は曲面状）のすくい面４１を、掻き上げ体１６の掻き上げ部１６Ｂの全巾に沿って隙間なく（又は隙間を介して）相対する後方に向けて上り勾配をなし、該すくい面４１の最下端部を被清掃面としての床面に接し、掻き上げ体１６の掻き上げ部１６Ｂが掻き上げるゴミを床面に沿う後方に逃がすことなく、その全てのゴミを上方にガイドする。
【００２０】
塵取部３０は、図６に示す如く、ピックアップ部材４０に覆われるゴミ受け部３１における底部の前縁中央部にねじりばね（弾性体）４８の中央ねじり部を固定し、ねじりばね４８の両側先端部をピックアップ部材４０における底面４２の裏面に圧接する。
【００２１】
清掃具１０によるフローリング等の清掃時には、塵取部３０のピックアップ部材４０が自重及びねじりばね４８の付勢力により下降位置に設定され、ピックアップ部材４０の最下端部を床面に隙間なく接し、ゴミ受け部３１の底部を床面から浮かす。
【００２２】
他方、清掃具１０によるカーペット等の清掃時には、塵取部３０のピックアップ部材４０がカーペットの毛足の抵抗によりゴミ受け部３１に近づく側に上昇せしめられる。このとき、ねじりばね４８は圧縮されて弾性変形する。
【００２３】
尚、ゴミ受け部３１の側のスライド筒４４と、ピックアップ部材４０の側のスライドロッド４５は余裕（ガタ）をもって挿入されており、ピックアップ部材４０がスライド軸方向にスライドしたり、清掃前後方向に揺動したり、左右方向に揺動したりできる。これにより、ピックアップ部材４０のすくい面４１、床面４２が床の凹凸に柔軟に追従できる。
【００２４】
清掃具１０は、図９、図１０に示す如く、ゴミ受け部３１の前縁側底部の最前部の概ね全域に連続（又は不連続でも可）をなす凸状リブ４９Ａを設けるとともに、ピックアップ部材４０の底面４２の後縁部の概ね全域に連続（又は不連続でも可）をなし、上記凸状リブ４９Ａと概ね同一高さの上向き立上り部４９Ｂを設ける。そして、ピックアップ部材４０が上方に変位したときに、ピックアップ部材４０の底面４２の上面をゴミ受け部３１の凸状リブ４９Ａに当接可能にし、かつピックアップ部材４０の上向き立上り部４９Ｂをゴミ受け部３１の前縁側底部の下面に当接可能にするものである。
【００２５】
清掃具１０は、フレーム１５における掻き上げ体１６と接触回転体１８の上部に粘着ロールホルダ５０を設け、掻き上げ体１６と接触回転体１８の上に粘着ロール２１を載置する。粘着ロール２１は、粘着ロールホルダ５０の後述する両ロール支軸５３、５４に径方向遊びをもってセットされながら、掻き上げ体１６と接触回転体１８の上に載置され、接触回転体１８の回転に連れ回り、掻き上げ体１６の回転方向と逆方向に回転する。
【００２６】
粘着ロールホルダ５０は、フレーム１５の前方寄り上面で清掃方向に直交する横方向において、掻き上げ体１６と接触回転体１８に相並ぶ範囲に渡る、概ね矩形枠状をなす窓枠５１を設け、この窓枠５１の左右両側部内面に回転カバー５２を回転可能に設ける。回転カバー５２は、半円弧状段面又はＵ字状断面等の透明材料からなる略半割筒状体をなし、両側壁を有する。回転カバー５２の左右一方の側壁に固定側ロール支軸５３を設けるとともに、左右他方の側壁にスライド側ロール支軸５４を設け、両ロール支軸５３、５４に粘着ロール２１のコア２１Ｂを回転自在に支持する。
【００２７】
粘着ホルダ５０は、掻き上げ体１６及び接触回転体１８と粘着ロール２１をフレーム１５に支持された状態を維持してそれらの掻き上げ体１６及び接触回転体１８と粘着ロール２１の接触状態と非接触状態を切り替える隔離手段を構成する。具体的には、粘着ロールホルダ５０は、回転カバー５２の両側壁の外面に突設させた左右の回転支軸５５を、窓枠５１の左右両側部に設けた軸孔に嵌合し、回転カバー５２をそれらの回転支軸５５まわりで開閉回転できる。このとき、回転カバー５２の回転支軸５５を、ロール支軸５３、５４に対し偏芯させる。回転カバー５２の閉じ状態で、回転支軸５１よりも、ロール支軸５３、５４を掻き上げ体１６と接触回転体１８に近づける（回転支軸５１が掻き上げ体１６、接触回転体１８に対する距離よりも、ロール支軸５３、５４が掻き上げ体１６、接触回転体１８に対する距離を小さくする）。これにより、回転カバー５２の回転時に、回転カバー５２が掻き上げ体１６、接触回転体１８に干渉しない。
【００２８】
回転カバー５２は、図３に示す如く、回転カバー５２の半円弧状断面又はＵ字状断面等の半割断面の前縁フランジ（磁石５６を具備する）を窓枠５１の前部上縁の鉄板５７に当接する閉じ位置に位置付けられた状態で、窓枠５２を閉じ、両ロール支軸５３、５４に支持されている粘着ロール２１を覆い、掻き上げ体１６及び接触回転体１８と粘着ロール２１を接触状態にする。他方、回転カバー５２の前縁フランジを窓枠５１の後部上縁の鉄板５８に当接する開き位置に位置付けられた状態で、窓枠５１を開き、回転カバー５２を掻き上げ体１６、接触回転体１８と粘着ロール２１の間に介在して粘着ロール２１を外界に臨ませ、掻き上げ体１６及び接触回転体１８と粘着ロール２１を非接触状態にし、両支軸５３、５４に新旧粘着ロール２１のコア２１Ｂを着脱し、又は両ロール支軸５３、５４にセットされている粘着ロール２１の使用済粘着シート２１Ａを剥離除去可能にする。即ち、回転カバー５２は閉じ位置から開き位置へ移行するとき、回転カバー５２の前縁フランジと反対側の後縁部を掻き上げ体１６、接触回転体１８の上方に通過させ、これによって掻き上げ体１６、接触回転体１８と粘着ロール２１の間に介在する。これにより、回転カバー５２を開き状態にして、両支軸５３、５４にセットされている粘着ロール２１の粘着シート２１Ａの使用済の１周巻き分を剥離除去しようとするとき、粘着シート２１Ａを掻き上げ体１６、接触回転体１８の外周に粘着させずにスムースに剥離できる。粘着シート２１Ａは１回使用分を重ねて巻いて１枚ずつ剥離除去するものの他、粘着シート２１Ａの剥離端を回転カバー５２の前縁又は後縁のエッジを用いて切断するものであっても良い。
【００２９】
清掃具１０による清掃動作は以下の通りなされる。
(1)柄１１の軸方向に加える操作力によりフレーム１５を介して掻き上げ体１６のタイヤ１７及び接触回転体１８のタイヤ１９を床面に加圧しながら清掃具１０を前進させ、掻き上げ体１６及び接触回転体１８を回動させ、同時に粘着ロール２１を連れ回り回転させる。
【００３０】
(2)掻き上げ体１６の掻き上げ部１６Ｂが床面上のゴミを掻き上げると、このゴミは塵取部３０を構成するピックアップ部材４０のすくい面４１にガイドされて掻き上げ体１６の後方と上方に送り出され、大きなゴミはすくい面４１からゴミ受け部３１に送り込まれて捕捉され、掻き上げ部１６Ｂに付着したゴミや掻き上げ部１６Ｂにからみついたゴミは、粘着ロール２１の粘着面に吸着捕捉される。
【００３１】
(3)粘着ロール２１の粘着面の全周に多量のゴミが捕捉されたことが視認されたら、粘着ロールホルダ５０の回転カバー５２を開き、粘着シート２１Ａの１周分を剥離切断除去し、新規粘着面を露出せしめる。
【００３２】
(4)塵取部３０のゴミ受け部３１に多量のゴミがたまったことを視認したら、後蓋３５を開き、ゴミ受け部３１のゴミを廃棄する。
尚、清掃具１０は前進だけでなく、後進もできる。
【００３３】
清掃具１０にあっては、（Ａ）ピックアップ部材４０の構造、（Ｂ）柄１１の継手構造、（Ｃ）アーム１３の枢着構造を以下の如くに有する。
【００３４】
（Ａ）ピックアップ部材４０の構造（図３、図４、図８〜図１０）
清掃具１０は、図３、図４に示す如く、ピックアップ部材４０の底面４２における、すくい面４１の最下端部に隣接（近接）する前側部の左右方向で概ね全幅に渡る拭部材６１を備える。
【００３５】
また、ピックアップ部材４０の底面４２における、すくい面４１から離隔する後側部にサブ拭部材６２を備える。サブ拭部材６２は、底面４２の左右方向の中央部の狭幅範囲にだけ設けられる。
【００３６】
拭部材６１、６２は、起毛布、スポンジ等のクッション性のある柔軟材料からなる。本実施例では、拭部材６１（６２も同じ）は、平板状基部６１Ａに多数の起毛６１Ｂを植設した起毛布からなる。
【００３７】
清掃具１０は、ピックアップ部材４０の底面４２における拭部材６１、６２が設けられる部分にくぼみ６３、６４を設け、拭部材６１の基部６１Ａは粘着テープ等の接着剤６３Ａを介してくぼみ６３の内部でその底面に接着され（図１９（Ｂ））、拭部材６２の基部も粘着テープ等の接着剤を介してくぼみ６４の内部でその底面に接着される。
【００３８】
清掃具１０において、ピックアップ部材４０が拭部材６１、６２を備えたことによる清掃動作の詳細について説明する。
【００３９】
(1)フローリングの前進清掃状態（図８）
清掃具１０のフローリング上での前進時、フローリング上のほこりや小さなゴミは、ピックアップ部材４０のすくい面４１の最下端部に隣接する底面４２の拭部材６１により集められ、拭部材６１により集められてすくい面４１の最下端部から前方に溢れたゴミは、掻き上げ体１６の掻き上げ部１６Ｂ（ブラシロール）によりすくい面４１上を掻き上げられる。従って、細かいほこりや小さなゴミも、拭部材６１の後方に逃がすことなく捕集できる。尚、この前進時に拭部材６１からすくい面４１の最下端部の間に残るほこりは、後述する後進時に除去される。
【００４０】
ピックアップ部材４０の底面４２の前後２ヶ所に拭部材６１、６２を設けたから、硬質プラスチックからなる底面４２を床に接触させず、床をこする異音の発生がない。また、底面４２と床の間に直に土ほこり等の硬い汚れを挟んでこれを床に押し付けることがなく、床を傷つけることも防止できる。サブ拭部材６２は底面４２の全幅に渡って設けても良いが、カーペット清掃時の抵抗が大きくなるし、底面４２の中央部に設けるだけで上述の底面４２を床に接触させない機能を果たすことができるから、本実施例では底面４２の中央部にだけ設けることにした。
【００４１】
(2)フローリングの後進清掃状態（図９）
清掃具１０は、掻き上げ体１６の掻き上げ部１６Ｂのブラシの毛の長さを前述の如く5mm程度ばらつくように作ってあるから、掻き上げ部１６Ｂの一部の毛は塵取部３０の上ゴミ止め部３３に接触して抵抗を受け、またピックアップ部材４０のすくい面４１に接触して抵抗を受ける。清掃具１０の後進時には、前タイヤ１７が若干浮き、掻き上げ体１６を駆動する力が小さいため、掻き上げ部１６Ｂ（ブラシロール）は上記抵抗により回転しない。尚、清掃具１０の前進時には、前タイヤ１７に柄１１からの操作力が加わり、掻き上げ体１６を駆動する力が大きくなるため、掻き上げ部１６Ｂは上記抵抗に打ち勝って回転する。
【００４２】
即ち、清掃具１０のフローリング上での後進時には、掻き上げ部１６Ｂが回転しないので、上述(1)の前進時に拭部材６１からすくい面４１の最下端部にかけて残ったほこりや小さなゴミが掻き上げ部１６Ｂの方へと移動し、掻き上げ部１６Ｂのブラシの間に絡む。従って、残ったほこりが床に筋状に残ることがない。また、掻き上げ部１６Ｂのブラシに絡んだほこりは次の前進時に掻き上げ体１６の回転とともに掻き上げられ、塵取部３０或いは粘着ロール２１に捕捉される。
【００４３】
(3)カーペットの清掃状態（図１０）
清掃具１０のカーペットでの清掃時には、ピックアップ部材４０の床面４２のくぼみ６３、６４に接着されている拭部材６１、６２は、カーペットの毛にそれらの起毛６１Ｂを押されてなびき、抵抗は小さい。
【００４４】
また、ピックアップ部材４０の底面４２は硬質プラスチックからなり、カーペットの毛がこの広い硬質床面４２を押し上げるから、ピックアップ部材４０が必要以上にカーペットに沈み込むことがなく、抵抗は小さい。尚、拭部材６１、６２の起毛６１Ｂとカーペットとの抵抗により、ピックアップ部材４０は適度な抵抗を受け、少しカーペットに沈むから、すくい面４１によりカーペット表面のゴミをすくい上げ易くなる。また、ゴミ受け部３１の側の凸状リブ４９Ａとピックアップ部材４０の側の上向き立上り部４９Ｂの働きで、ピックアップ部材４０は先端が上がりすぎて掻き上げ部１６Ｂのブラシの毛先を踏んだり、先端が下がりすぎてカーペットの毛の中に突き刺さったりして抵抗が大きくなることもない。
【００４５】
本実施例によれば以下の作用効果を奏する。
(a)清掃具１０の前進時に、床上の微細ゴミや薄ゴミがピックアップ部材４０のすくい面４１の下をすり抜けようとしても、拭部材６１が直ちにこれらのゴミを集める。拭部材６１に集められてすくい面４１の最下端部（下端エッジ）からあふれるゴミは掻き上げ体１６により掻き上げられる。従って、床上のゴミをピックアップ部材４０のすくい面４１の下から後方に逃すことなく、ゴミ受け部３１や粘着ロール２１に捕集できる。
【００４６】
(b)ピックアップ部材４０の裏面の前後２ヵ所に拭部材６１とサブ拭部材６２とを設けた。これにより、ピックアップ部材４０の硬質プラスチック等からなる底面４２を床に接触させないから、その底面４２が床をこする騒音を防止できるし、その底面４２が土ほこり等の硬い汚れを床にこすって床キズを生ずることを防止できる。
【００４７】
(c)拭部材６１を起毛布等のクッション性のある柔軟材料からなるものとすることにより、拭部材６１は床に隙間なく接してゴミを集める。起毛布は、スポンジに比して、耐久性があるし、摩擦抵抗が小さい。
【００４８】
(d)掻き上げ体１６のブラシロールの毛の長さにばらつきがあるから、一部の毛がすくい面４１や上ゴミ止め部３３に接触して抵抗を受ける。清掃具１０の後進時には、前タイヤ１７が若干浮き、掻き上げ体１６を駆動する力が小さいため、上記抵抗により掻き上げ体１６は回転しない。掻き上げ体１６が回転しないので、前進時に拭部材６１からすくい面４１の最下端部にかけて残ったゴミは掻き上げ体１６のブラシロールの方へ移動し、ブラシロールの毛の間にからむ。従って、後進時に残った上述のゴミが床にすじ状に残ることがない。ブラシロールの毛の間にからんだゴミは、次の前進時に、掻き上げられ、ゴミ受け部３１や粘着ロール２１に捕集される。
【００４９】
(e)拭部材６１、６２はピックアップ部材４０の底面４２に設けたくぼみ６３、６４に接着される。従って、カーペットの清掃時、拭部材６１、６２の起毛６１Ｂはカーペットの毛に押されてなびき、抵抗は小さい。くぼみ６３、６４がないとき、拭部材６１、６２の基部６１Ａがピックアップ部材４０の底面４２より突出し、基部６１Ａの前縁がカーペットの毛に当たり、大きな抵抗になる。
【００５０】
（Ｂ）柄１１の継手構造（図３、図１１、図１２）
清掃具１０は、柄１１（第１の柄）と支持アーム１３（第２の柄）を、以下の如く、継手１２を介して互いに揺動自在に連結する（図３、図１１）。
【００５１】
柄１１は、２個の薄肉外側部材７１、７１と、両外側部材７１、７１に挟まれる厚肉中部材７２を互いに前後（清掃方向）に並んで３又状をなすように設け、各外側部材７１、７１と中部材７２の間に両側空間７３、７３を形成する。両外側部材７１、７１と中部材７２は互いに同軸をなす貫通状の枢支孔７１Ａ、７２Ａ（枢支部）を備える。
【００５２】
支持アーム１３は、中央外側面に２個の厚肉連結部材８１、８１を互いに前後（清掃方向）に並んで２又状をなすように設け、両連結部材８１、８１の間に中空間８２を形成する。両連結部材８１、８１は、外方に臨む枢軸８１Ａ（枢支部）と、内方の中空間８２に臨む小突起部８１Ｂを備える。
【００５３】
柄１１と支持アーム１３は以下の如くにして継手１２を形成する。柄１１の中部材７２を支持アーム１３の中空間８２に差し込み、かつ柄１１の両側空間７３、７３に支持アーム１３の各連結部材８１、８１を差し込み、この差し込み過程で柄１１の両外側部材７１、７１を弾性拡縮変形させて柄１１の両外側部材７１、７１に設けた枢支孔７１Ａを支持アーム１３の両連結部材８１、８１の外面に突設させた枢軸８１Ａに弾発的に凹凸係合して両者を連結する。枢軸８１Ａは清掃具１０の清掃方向（前後方向）に沿う鉛直面内に配置される。尚、柄１１の中部材７２に設けた枢支孔７２Ａは支持アーム１３の両連結部材８１、８１の内面の小突起部８１Ｂに軽く凹凸係入する。
【００５４】
柄１１と支持アーム１３はそれらの差込部まわりにクリックストップ機構部９０を設ける。クリックストップ機構部９０は、支持アーム１３の中空間８２の底部に設けた収納孔にコイルばね９１とボール９２を収納し、ばね９１に付勢されるボール９２を、柄１１の中部材７２の円弧状先端面の周方向複数位置に設けた凹み９３のいずれかに選択的に係合可能にする。
【００５５】
本実施例によれば以下の作用効果を奏する。
(a)柄１１と支持アーム１３を連結するに際し、柄１１の中部材７２は支持アーム１３の両連結部材８１の間の中空間８２に変形されずに単に又は軽く差し込まれ、支持アーム１３の両連結部材８１も変形しないから、それらの中部材７２と両連結部材８１をともに厚肉化できる。柄１１から支持アーム１３に操作力が加わってそれらの中部材７２と両連結部材８１がこじられようとしても、それらが厚肉の故に変形せず、両者の差し込み部にガタを生じにくく、外れることを防止する。
【００５６】
(b)柄１１の両外側部材７１の枢支部（枢支孔７１Ａ）に、支持アーム１３の両連結部材８１の枢支部（枢軸８１Ａ）を弾発的に凹凸係合するため、両外側部材７１の肩部を肉薄にして変形できるようにしても、柄１１から支持アーム１３に加わる操作力は上述(a)の中部材７２と両連結部材８１とで負担され、両外側部材７１をこじり開くことを防止できる。両外側部材７１は変形しにくく、それらの枢支部（枢支孔７１Ａ）を両連結部材８１の枢支部（枢軸８１Ａ）に安定的に枢着維持することができる。
【００５７】
(c)柄１１と第２の差し込み部まわりにクリックストップ機構部９０を設けた。従って、使用者は柄１１と支持アーム１３を選択したいずれかの揺動位置に保持できる。
【００５８】
(d)清掃具１０において、上述(a)〜(c)を実現できる。
【００５９】
(e)柄１１と支持アーム１３を連結する枢支部の枢軸８１Ａを清掃方向に沿う鉛直面内に配置した。清掃具１０の前進時に、柄１１から支持アーム１３に加える操作力により清掃具のタイヤ１７を床にしっかりと押付け、清掃作業性を向上しながら、柄１１と支持アーム１３を安定的に連結維持できる。
【００６０】
図２０は、柄１１の継手構造の変形例を示すものである。図２０の柄１１は、図１２の柄１１と同様に、２個の薄肉外側部材７１、７１と、両外側部材７１、７１に挟まれる厚肉中部材７２を互いに前後（清掃方向）に並んで３又状をなすように設け、各外側部材７１、７１と中部材７２の間に両側スリット７３、７３を形成する。両外側部材７１、７１は内方の両側スリット７３に臨む枢軸７４（枢支部）を備える。
【００６１】
支持アーム１３は、中央外側面に２個の厚肉連結部材８１、８１を互いに前後（清掃方向）に並んで２又状をなすように設け、両連結部材８１、８１の間に中スリット８２を形成する。両連結部材８１、８１は、貫通状の枢支孔８３（枢支部）を備える。
【００６２】
柄１１と支持アーム１３は以下の如くにして継手１２を形成する。柄１１の中部材７２を支持アーム１３の中スリット８２に差し込み、かつ柄１１の両側スリット７３、７３に支持アーム１３の各連結部材８１、８１を差し込み、この差し込み過程で柄１１の両外側部材７１、７１を弾性拡縮変形させて柄１１の両外側部材７１、７１に設けた枢軸７４を支持アーム１３の両連結部材８１、８１の枢支孔８３に弾発的に凹凸係合して両者を連結する。枢軸７４は清掃具１０の清掃方向（前後方向）に沿う鉛直面内に配置される。本変形例によれば、上記実施例と同様の作用効果を奏する。
【００６３】
図１３は、柄１１の継手構造の参考例を示すものである。図１３において、柄１１は、２個の厚肉外側部材１０１、１０１と、両外側部材１０１、１０１に挟まれる２個の薄肉中部材１０２を互いに前後（清掃方向）に並んで４又状をなすように設け、各外側部材１０１、１０１と各中部材１０２の間に両側空間１０３、１０３を形成するとともに、両中部材１０２、１０２の間に空間１０４を形成する。両外側部材１０１、１０１は両側空間１０３に臨む小突起部１０１Ａを備え、両中部材１０２、１０２は両側空間１０３に臨む枢軸１０２Ａ（枢支部）を備える。
【００６４】
支持アーム１３は、中央外側面に２個の厚肉連結部材１１１、１１１を互いに前後（清掃方向）に並んで２又状をなすように設け、両連結部材１１１、１１１の間に中空間１１２を形成する。両連結部材１１１、１１１は、互いに同軸をなす貫通状の枢支孔１１１Ａ（枢支部）を備える。
【００６５】
柄１１と支持アーム１３は以下の如くにして継手１２を形成する。柄１１の両中部材１０２を支持アーム１３の中空間１１２に差し込み、かつ柄１１の両側空間１０３、１０３に支持アーム１３の各連結部材１１１、１１１を差し込み、この差し込み過程で柄１１の両中部材１０２、１０２を弾性拡縮変形させて柄１１の両中部材１０２、１０２に設けた枢軸１０２Ａを支持アーム１３の両連結部材１１１、１１１に設けた枢支孔１１１Ａに弾発的に凹凸係合して両者を連結する。枢軸１０２Ａは清掃具１０の清掃方向（前後方向）に沿う鉛直面内に配置される。尚、柄１１の両外側部材１０１に設けた小突起部１０１Ａが支持アーム１３の両連結部材１１１、１１１の枢支孔１１１Ａに軽く凹凸係入する。
【００６６】
本参考例によれば以下の作用効果を奏する。
(a)柄１１と支持アーム１３を連結するに際し、柄１１の両外側部材１０１は支持アーム１３の両連結部材１１１の外側に変形されずに単に又は軽く差し込まれ、支持アーム１３の両連結部材１１１も変形しないから、それらの両外側部材１０１と両連結部材１１１をともに厚肉化できる。柄１１から支持アーム１３に操作力が加わってそれらの両外側部材１０１と両連結部材１１１がこじられようとしても、それらが厚肉の故に変形せず、両者の差し込み部にガタを生じにくく、外れることを防止する。
【００６７】
(b)柄１１の両中部材１０２の枢支部（枢軸１０２Ａ）に、支持アーム１３の両連結部材１１１の枢支部（枢支孔１１１Ａ）を弾発的に凹凸係合するため、両中部材１０２の肩部を肉薄にして変形できるようにしても、柄１１から支持アーム１３に加わる操作力は上述(a)の両外側部材１０１と両連結部材１１１とで負担され、両中部材１０２をこじり変形させることを防止できる。両中部材１０２は変形しにくく、両中部材１０２の枢支部（枢軸１０２Ａ）を両連結部材１１１の枢支部（枢支孔１１１Ａ）に安定的に枢着維持することができる。
【００６８】
（Ｃ）支持アーム１３の枢着構造（図１４〜図１９）
清掃具１０は、柄１１付支持アーム１３の両側アーム部（両側部）１３Ａを、以下の如く、枢着部１４を介してフレーム１５の両外側部に回転自在に枢着する（図１４〜図１６）。
【００６９】
フレーム１５の両外側部で、前側タイヤ１７と後側タイヤ１９に挟まれる部分には枢軸１２１（枢支部）が植設されて固定的に設けられる。他方、支持アーム１３の両側アーム部１３Ａの先端部には軸孔１２２（被枢支部）が設けられる。清掃具１０は、支持アーム１３の側の軸孔１２２をフレーム１５の側の枢軸１２１に枢着するに際し、位置決め手段１３０と回転抵抗手段１４０を有する。位置決め手段１３０は、フレーム１５の枢軸１２１の軸方向に対し、支持アーム１３の両側アーム部１３Ａがなす位置を位置決めし、フレーム１５の外面と両側アーム部１３Ａの間に一定の隙間Ｇ（図１５）を規制する。回転抵抗手段１４０は、支持アーム１３に一定の回転抵抗力を付与する。
【００７０】
本実施例では、位置決め手段１３０をＣ字リング等のクリップ１３１とする。図１５、図１６に示す如く、両側アーム部１３Ａの軸孔１２２まわりの先端部に設けた円環部１３２の外周にクリップ１３１を係着するとともに、クリップ１３１の内周面の周方向中央部に張り出し形成した弦状のストッパ部１３１Ａを両側アーム部１３Ａの軸孔１２２まわりの上記円環部１３２の下部に穿設した溝１３２Ａに通し、このストッパ部１３１Ａの先端部を更にフレーム１５の側の枢軸１２１の外周に設けた環状溝１２１Ａに係合させる。クリップ１３１は、ストッパ部１３１Ａの先端の一部だけを枢軸１２１の環状溝１２１Ａの溝側壁に対し、その溝周方向の一部に係合する。
【００７１】
回転抵抗手段１４０は、本実施例では、枢軸１２１のまわりで、フレーム１５の外面と両側アーム部１３Ａの隙間Ｇに一定量圧縮されて介装されるクッションリング１４１からなり、両側アーム部１３Ａの側面に摺接して摩擦接触する。クッションリング１４１の一定摺動抵抗力が支持アーム１３の一定回転抵抗力になる。クッションリング１４１は、ゴム、不織布、金属、樹脂等にて形成される。ゴムにシリコンオイルを含浸させたものを用いると、静摩擦係数が低くなり、動き始めから一定の抵抗力を発生できる。
【００７２】
本実施例によれば以下の作用効果を奏する。
(a)清掃具１０は、位置決め手段１３０により、支持アーム１３の寸法精度によらず、フレーム１５の枢軸１２１の軸方向に対し、支持アーム１３の両側アーム部１３Ａがなす位置を位置決めできる。しかも、回転抵抗手段１４０により、支持アーム１３に一定の回転抵抗力を付与でき、使用者の操作感を向上できる。
【００７３】
(b)クリップ１３１を支持アーム１３に係着するとともに、支持アーム１３の軸孔１２２まわりに穿設した溝１３２Ａを通ってフレーム１５の枢軸に設けた環状溝１２１Ａに係合させることにより、コンパクトな位置決め手段１３０を構成できる。
【００７４】
(c)クリップ１３１をフレーム１５の枢軸の環状溝１２１Ａと溝周方向の一部にて係合させることにより、クリップ１３１と枢軸との接触面積を小さくし、支持アーム１３の両側アーム部１３Ａの弾性的な狭まり力のばらつきが、該支持アーム１３と枢軸との間で生じ得る回転抵抗力のばらつきを可及的に少なくする。これにより、支持アーム１３に付与する回転抵抗力を、可及的に回転抵抗手段１４０だけによって管理可能にし、支持アーム１３に一定の回転操作力を付与する。
【００７５】
(d)回転抵抗手段１４０をクッションリング１４１により簡易に構成できる。
図１７〜図１９はそれぞれ支持アーム１３の枢着構造の変形例を示すものである。
【００７６】
図１７の変形例は、回転抵抗手段１４０として、両側アーム部１３Ａの側面に摺接する摩擦リング１４１Ａを用いるとともに、フレーム１５の外面と摩擦リング１４１Ａの端面の間に圧縮コイルばね１４２を介装したものである。摩擦リング１４１Ａの一定摺動抵抗力が支持アーム１３の一定回転抵抗力になる。摩擦リング１４１として、前述のクッションリング１４１と同材質を採用できる。ばね１４０により、摩擦リング１４１Ａが両側アーム部１３Ａに及ぼす摺動抵抗力を容易に調整できる。
【００７７】
図１８の変形例は、回転抵抗手段１４０として、両側アーム部１３Ａの軸孔１２２に開口するように両側アーム部１３Ａに設けた収納孔に装填した摩擦シュー１４３を用いる。摩擦シュー１４３は、圧縮コイルばね１４４によりバックアップされて軸孔１２２内に一部突出し、枢軸１２１の外周面に摺接する。摩擦シュー１４３の一定摺動抵抗力が支持アーム１３の一定回転抵抗力になる。摩擦シュー１４３として、前述のクッションリング１４１と同材質を採用できる。ばね１４４により、摩擦シュー１４３が枢軸１２１に及ぼす摺動抵抗力を容易に調整できる。
【００７８】
図１９の変形例は、フレーム１５の中空枢軸１２１の外側端面から頭付ビス１５１を挿入し、ビス１５１の先端係止爪１５１Ａをフレーム１５の内面に係止させ、かつビス１５１の中間段差面１５１Ｂを枢軸１２１の外側端面に当接させることで、フレーム１５の外面とビス１５１の中間段差面１５１Ｂとの間隔を一定にする。支持アーム１３の両側アーム部１３Ａの軸孔１２２まわりには、フレーム１５の外面に接する環状凸面１２２Ａと、ビス１５１の中間段差面１５１Ｂに接する環状面１２２Ｂを備える。ビス１５１は、位置決め手段１３０を構成し、両側アーム部１３Ａの環状凸面１２２Ａと環状面１２２Ｂが、フレーム１５の外面とビス１５１の中間段差面１５１Ｂとの間隔内に僅かな隙間を介して位置決めされる。ビス１５１の頭面１５１Ｃと両側アーム部１３Ａの環状面１２２Ｂの間に、回転抵抗手段１４０を構成するクッションリング１５２が一定量圧縮されて装填され、クッションリング１５２が両側アーム部１３Ａに及ぼす一定の摺動抵抗力が支持アーム１３の一定回転抵抗力になる。
【産業上の利用可能性】
【００７９】
本発明によれば、柄の継手構造において、第１の柄と第２の柄を強固に連結することができる。
【符号の説明】
【００８０】
１０  清掃具
１１  柄（第１の柄）
１２  継手
１３  支持アーム（第２の柄）
７１  外側部材
７２  中部材
７１Ａ、７２Ａ  枢支孔（枢支部）
７３  両側空間
８１  連結部材
８１Ａ  枢軸（枢支部）
８１Ｂ  小突起部
８２  中空間
９０  クリックストップ機構部
【図１】
2011152446.tif 000003
【図２】
2011152446.tif 000004
【図３】
2011152446.tif 000005
【図４】
2011152446.tif 000006
【図５】
2011152446.tif 000007
【図６】
2011152446.tif 000008
【図７】
2011152446.tif 000009
【図８】
2011152446.tif 000010
【図９】
2011152446.tif 000011
【図１０】
2011152446.tif 000012
【図１１】
2011152446.tif 000013
【図１２】
2011152446.tif 000014
【図１３】
2011152446.tif 000015
【図１４】
2011152446.tif 000016
【図１５】
2011152446.tif 000017
【図１６】
2011152446.tif 000018
【図１７】
2011152446.tif 000019
【図１８】
2011152446.tif 000020
【図１９】
2011152446.tif 000021
【図２０】
2011152446.tif 000022